(57)【要約】      （修正有）【課題】ラベルプリンタなどにより印字を施されて切断された印字媒体片を筐体の上部に載置することにより小型化を図ったスタッカ機構付きの印字装置を提供する。【解決手段】筐体４０内に設けられ、長尺状の印字媒体２１を搬送するとともに、印字媒体２１の表面側に可変情報を印字する印字手段２５と、印字手段２５で印字された印字媒体２１を一片の印字媒体片２１ａに切断する切断手段２６と、筐体４０の上面に開口された発行口３０と、切断手段２６にて切断された印字媒体片２１ａを発行口３０より外部に排出する排出手段２７と、発行口３０に近接して設けられ、発行口３０より外部に排出された印字媒体片２１ａを、印字媒体片２１ａの表面側または裏面側に傾け、かつ、案内すべく揺動する揺動案内手段３と、発行口３０の短辺方向の両端部に形成され、揺動案内手段３により案内された印字媒体片２１ａを載置し積層する載置部２と、を備える。【選択図】図１
2011006251.tif 000002
【特許請求の範囲】
【請求項１】
筐体内に設けられ、長尺状の印字媒体を搬送するとともに、印字媒体の表面側に可変情報を印字する印字手段と、
前記印字手段で印字された印字媒体を一片の印字媒体片に切断する切断手段と、
前記筐体の上面に開口された発行口と、
前記切断手段にて切断された前記印字媒体片を前記発行口より外部に排出する排出手段と、
前記発行口に近接して設けられ、前記発行口より外部に排出された前記印字媒体片を、印字媒体片の表面側または裏面側に傾け、かつ、案内すべく揺動する揺動案内手段と、
前記発行口の短辺方向の両端部に形成され、前記揺動案内手段により案内された前記印字媒体片を載置し積層する載置部と、
を備えることを特徴とするスタッカ機構付きの印字装置。
【請求項２】
前記排出手段は、前記切断手段により前記印字媒体を切断して排出した前記印字媒体片の数量に応じ排出する距離を増やすことを特徴とする請求項１記載のスタッカ機構付きの印字装置。
【請求項３】
前記載置部は、前記発行口の短辺方向の一端部に設けた第一のステージ、および他端部に設けた第二のステージにより構成し、第一および第二のステージは、前記発行口より外側に向けて摺動可能とされることを特徴とする請求項１記載のスタッカ機構付きの印字装置。
【請求項４】
前記第一および第二のステージは、前記発行口より外側に向けて緩い下り勾配が形成されることを特徴とする請求項３記載のスタッカ機構付きの印字装置。
【発明の詳細な説明】
【技術分野】
【０００１】
本発明は、ラベルプリンタなどにより印字を施されて切断された印字媒体片を筐体の上面に開口した発行口より排出し、筐体の上面に載置するようにしたスタッカ機構付きの印字装置に関する。
【背景技術】
【０００２】
従来、プリンタ（印字装置）本体にて印字した単シート（印字媒体片）をスタックする貯留部（スタッカ）をプリンタの外部に備えたプリンタ（印字装置）が知られており、一般的に、貯留部（スタッカ）は、プリンタ本体（印字装置本体）の側面に突出して配設され、発行口から排出した単シート（印字媒体片）がスタックされるようになっている（例えば、特許文献１参照）。
しかしながら、特許文献１のプリンタによれば、貯留部（スタッカ）がプリンタ本体の外側に突出して配設されているため大型化が避けられないという問題がある。
また、スタック時、自重で落下してスタックされるようになっているため、単シートが定位置にスタックされなかったり、あるいは、折れ曲がって積層状態に乱れが生じたり、更には、印字・発行時に生じた静電気により場合によっては貯留部（スタッカ）の側壁に貼り付くことがあり、連番を伴う単シートの発行に差し障りがあるという問題があった。
また、２種類の単シート（印字媒体片）を連続的に発行する場合、仕分けができないため、貯留部（スタッカ）にスタックした後に仕分ける必要があり、作業効率が悪いという問題があった。
上記２種類の単シートを効率的に仕分けるようにしたシート収納装置（スタッカ機構）が開発されている（例えば、特許文献２参照）。
特許文献２によれば、画像形成装置（印字装置）のシート（印字媒体片）排出口（発行口）側に第１のスタッカを設け、この第１のスタッカの更に下流側に第２のスタッカを設け、大サイズシートは案内板にて案内して第２のスタッカに内に落下させ、また、小サイズシートは別の案内板間を通って第１のスタッカ内に落下させるようになっている。
しかしながら、特許文献２のシート収納装置（スタッカ機構）によれば、２種類のシートを仕分けることが可能なものの、第１および第２のスタッカを画像形成装置（印字装置）の側面に突出して配設したため、大型化が避けられないという問題があった。
【先行技術文献】
【特許文献】
【０００３】
【特許文献１】特開２００４−２９１６０２号公報
【特許文献２】特開平６−５６３３０号公報
【発明の概要】
【発明が解決しようとする課題】
【０００４】
本発明は、上記の問題点に着目して成されたものであり、ラベルプリンタなどにより印字を施されて切断された印字媒体片を筐体の上面に載置することにより小型化を図ったスタッカ機構付きの印字装置を提供することを課題とする。
【０００５】
また、本発明は、簡単な構成で筐体の上面に２種類の印字媒体片を仕分けることができるスタッカ機構付きの印字装置を提供することを課題とする。
【課題を解決するための手段】
【０００６】
本発明は上記課題を解決すべく、以下に掲げる構成とした。
請求項１記載の発明の要旨は、筐体内に設けられ、長尺状の印字媒体を搬送するとともに、印字媒体の表面側に可変情報を印字する印字手段と、前記印字手段で印字された印字媒体を一片の印字媒体片に切断する切断手段と、前記筐体の上面に開口された発行口と、前記切断手段にて切断された前記印字媒体片を前記発行口より外部に排出する排出手段と、前記発行口に近接して設けられ、前記発行口より外部に排出された前記印字媒体片を、印字媒体片の表面側または裏面側に傾け、かつ、案内すべく揺動する揺動案内手段と、前記発行口の短辺方向の両端部に形成され、前記揺動案内手段により案内された前記印字媒体片を載置し積層する載置部と、を備えることを特徴とするスタッカ機構付きの印字装置に存する。
また請求項２記載の発明の要旨は、前記排出手段は、前記切断手段により前記印字媒体を切断して排出した前記印字媒体片の数量に応じ排出する距離を増やすことを特徴とする請求項１記載のスタッカ機構付きの印字装置に存する。
また、請求項３記載の発明の要旨は、前記載置部は、前記発行口の短辺方向の一端部に設けた第一のステージ、および他端部に設けた第二のステージにより構成し、第一および第二のステージは、前記発行口より外側に向けて摺動可能とされることを特徴とする請求項１記載のスタッカ機構付きの印字装置に存する。
また、請求項４記載の発明に要旨は、前記第一および第二のステージは、前記発行口より外側に向けて緩い下り勾配が形成されることを特徴とする請求項３記載のスタッカ機構付きの印字装置に存する。
【発明の効果】
【０００７】
本発明のスタッカ機構付きの印字装置は、筐体内に設けられ、長尺状の印字媒体を搬送するとともに、印字媒体の表面側に可変情報を印字する印字手段と、印字手段で印字された印字媒体を一片の印字媒体片に切断する切断手段と、筐体の上面に開口された発行口と、切断手段にて切断された印字媒体片を発行口より外部に排出する排出手段と、発行口に近接して設けられ、発行口より外部に排出された印字媒体片を、印字媒体片の表面側または裏面側に傾け、かつ、案内すべく揺動する揺動案内手段と、発行口の短辺方向の両端部に形成され、揺動案内手段により案内された印字媒体片を載置し積層する載置部と、より構成したことにより、筐体の上面に載置部が形成された、小型化された縦型の印字装置が実現できるという効果がある。
また、排出手段が、切断手段により印字媒体を切断して排出した印字媒体片の数量に応じ排出する距離を増やすようにすれば、排出されて載置部に案内され、積層された印字媒体片の積層の高さに見合う排出する距離に変更され、以て安定した積層状態が確保できるものである。
また、載置部を、発行口の短辺方向の一端部に設けた第一のステージ、および他端部に設けた第二のステージにより構成し、第一および第二のステージが、発行口より外側に向けて摺動可能となるよう構成すれば、２種類の印字媒体片の仕分けが容易にできるようになる。
また、第一および第二のステージを、発行口より外側に向けて緩い下り勾配が形成されるようにすれば、ステージ上の印字媒体片が外側に向けて円滑に案内されるようになる。
【図面の簡単な説明】
【０００８】
【図１】本発明に係るスタッカ機構付き印字装置の一実施の形態を示す概略側面説明図である。
【図２】同、図１中、矢示ＩＩ方向より見た概略平面説明図である。
【図３】同、図１および図２の実施の形態の電気的な構成例を示すブロック図である。
【図４】同、作動状態を示すフローチャート図である。
【図５】同、本発明で使用する印字媒体の印字形態を示す概略説明図である。
【図６】同、本発明の第２の実施の形態の構成例を示す、筐体の上面近辺を側面より見た拡大側面説明図である。
【発明を実施するための形態】
【０００９】
以下、本発明の一実施の形態につき、図１ないし図５に基づいて説明する。
図１は、本発明に係るスタッカ機構付きの印字装置の一実施の形態を示す概略側面説明図、図２は、図１中、矢示ＩＩ方向より見た概略平面説明図である。
同図に示すように、印字装置１０は、主に、筐体４０に覆われた印字装置本体２０と、前記筐体４０の上面に設けられたスタッカ機構１と、により構成される。
筐体４０にて囲繞された印字装置本体２０内には、主に、ロール状に巻回した印字媒体２１を回転可能に支持する供給軸２２と、サーマルヘッド２３およびプラテンローラ（以下、適宜、単に「プラテン」と称す）２４を備える印字手段としての印字部２５と、切断手段としての切断部２６と、排出手段としてのフィードローラ２７と、位置検出手段としての反射センサ２８と、制御手段としての制御部２９と、を備えており、制御部２９は、前記各部と接続され、各部の動作が制御できるようになっている。また、筐体４０の上面には、開口した発行口３０が形成されている。
印字部２５では、印字媒体２１の表面側に形成される印字面にサーマルヘッド２３により所望の可変情報を印字し、かつ、後述する制御部２９の制御により駆動されるステッピングモータ３３（図１において想像線にて図示）の回転駆動力によってプラテン２４を回転して印字媒体２１を搬送するとともに、印字媒体２１をサーマルヘッド２３に押圧する。ここで、プラテン２４用のステッピングモータ３３とプラテン２４により「搬送手段」が構成されている。
切断部２６では、供給軸２２から繰り出され、印字部２５にて可変情報が印字された前記印字媒体２１を所定のタイミングで切断して一葉の印字媒体片２１ａとするものであり、サークルカッタやギロチン式カッタなどの採用が可能である。
フィードローラ２７は、排出用のステッピングモータ３１にベルト３２を介して接続された主動ローラ２７ａ、および主動ローラ２７ａに当接する従動ローラ２７ｂを備え、切断部２５で切断された前記一葉の印字媒体片２１ａを両面から回転自在に挟持して発行口３０より排出するようになっている。ここで、フィードローラ２７、ステッピングモータ３１およびベルト３２により「排出手段」が構成されている。
反射センサ２８は、所定の光を出射する発光部２８ａおよび発光部２８ａから出射された光の印字媒体２１からの反射光を受光し、受光した光の強度（単位時間当たりの受光量）に対応する電気信号を出力する受光部２８ｂからなり、供給軸２２と印字部２５の間の、印字媒体２１の裏面側に配し、印字媒体２１の裏面に予め印刷された図示省略の識別マーク（黒の矩形のマーク）を受光部２８ｂの受光量に基づいて検出するようになっている。なお、１５は、補助ローラである。
また、印字装置１０は、筐体４０の上面に開口された発行口３０より印字媒体片２１ａを発行・排出する、いわゆる縦型の「印字装置」である。
【００１０】
スタッカ機構１は、載置部２と、揺動案内手段としての揺動案内板３と、支持部材４とを備える。
載置部２は、発行口３０の短辺方向Ｓの一端（図２における発行口３０の左側）に形成された第一のステージ２ａと、発行口３０の他端に形成された第二のステージ２ｂとより構成されており、前記フィードローラ２７にて発行口３０より排出された印字媒体片２１ａを載置する「スタッカ」となっている。なお、第一および第二のステージ２ａ、２ｂ共、発行口３０より筐体４０の外側（矢示Ｄ方向）に向けて摺動可能とされており、印字媒体片２１ａの長さサイズが長い場合には、外側に摺動して載置部２の長さサイズを変更することができるようになっている。また、５は、第一および第二のステージ２ａ、２ｂに形成されたストッパ部である。
揺動案内板３は、前記発行口３０に近接して設けられ、一端が支持部材４に対し回動軸３ａを中心として揺動自在に取付けられており、前記フィードローラ２７によって外部に排出された印字媒体片２１ａを、種類によって第一のステージ２ａ側、または、第二のステージ２ｂ側に揺動して案内するようになっている。
支持部材４は、筐体４０の上面に立設しており、かつ、印字装置本体２０の制御部２９と接続されている。そして、印字装置本体２０の制御部２９よりの信号により前記揺動案内板３を第一または第二のステージ２ａ、２ｂ側に揺動するようになっている。
なお、揺動案内板３は、前記回動軸３ａに形成された図示省略のギアと、このギア（図示省略）に噛合する図示省略の揺動用プッシャーギアと、この揺動用プッシャーギア（図示省略）を正逆回転させる後述の揺動用駆動モータ５１などを組合せた既知の構成により揺動するようになっており、この揺動案内板３の揺動によって印字媒体片２１ａは厚み方向に案内され、第一または第二のステージ２ａ、２ｂ上に振り分けられ載置されて積層されるようになっている。
【００１１】
図３は、図１および図２の実施の形態の電気的な構成例を示すブロック図である。同図に示すように、制御部２９は、ＲＯＭ（ｒｅａｄ  ｏｎｌｙ  ｍｅｍｏｒｙ）４１に記憶されているプログラムに従って各種処理を実行し、各部を制御するＣＰＵ（ｃｅｎｔｒａｌ  ｐｒｏｃｅｓｓｉｎｇ  ｕｎｉｔ）４２と、ＣＰＵ４２が各種処理を実行する上で必要となる各種データを記憶するＲＡＭ（ｒａｎｄｏｍ  ａｃｃｅｓｓ  ｍｅｍｏｒｙ）４３と、前記プラテン２４を駆動するステッピングモータ３３に接続されプラテン用のステッピングモータ３３を制御するとともに、排出用のステッピングモータ３１、並びに揺動案内板用のモータ５２と接続され、各モータを制御するモータ制御部４４と、印字媒体２１の表面側に印字を行う前記サーマルヘッド２３を制御する印字制御部４５と、前記反射センサ２８を制御し、同センサ２８から出力された信号をデジタルのデータに変換して位置検出データとしてＣＰＵ４２に供給するセンサ制御部４６と、切断部２６の切断動作を制御する切断制御部４７と、パーソナルコンピュータ（以下、適宜、単に「ＰＣ」と略す）５０等の外部機器が接続されるインタフェース部４９と、インタフェース部４９を介して接続された外部機器との間でデータの送受信を行う外部インタフェース制御部５１とを備えおり、これら各部はデータバス４８を介してＣＰＵ４２に接続され、受信した印字データやコマンドに従って印字媒体２１に印字を行う。また、データバス４８を介してスタッカ機構１に接続され、スタッカ機構１を制御する。
【００１２】
なお、制御部２９では、以下のスタッカ機構１の処理を行うようになっている。
（１）初期設定
下記の種種の設定は、予めＰＣ５０より入力してＲＡＭ４３などに記憶するようになっている。
（１−１）排出距離増加の時期（タイミング）カウンタの設定
後述する「排出する距離」を増加する時期（タイミング）を、切断部２６にて印字媒体２１を切断して得られる一葉の印字媒体片２１ａの枚数で計ろうとするものであり、この印字媒体片２１ａの枚数で表されるタイミングカウンタＴは、印字媒体２１の厚みにより異なり、「タグ」のように分厚い印字媒体の場合には、薄い印字媒体よりも少ない枚数で設定する。
（１−２）印字形態の設定
図５に、本発明で使用する印字媒体２１の印字形態を示す。
図５（ａ）は、異なる種類の印字が連続して施される例を示しており、図示の例では、大根の画像を印字した印字媒体片２１Ｘ部分と、野菜の内容を印字した印字媒体片（同図の例では、「○△産朝取り野菜  ￥１９８．−」）２１Ｙ部分の２種類の印字媒体片２１Ｘ、２１Ｙが交互に連続して印字された印字媒体２１Ａである。
また、図５（ｂ）は、同じ内容が連続して印字された例を示しており、大根の画像のみを印字した印字媒体片２１Ｘが連続して印字された印字媒体２１Ｂである。
また、図５（ｃ）は、受験番号が連続して印字された「受験票」を示しており、番号を除いた画像は同じで、連続した受験番号を印字した印字媒体片２１Ｚが、連続して印字されている印字媒体２１Ｃである。
「印字形態の設定」では、上記のように、異なる種類の印字を連続して行うものか（図５（ａ）参照）、または、同じ内容の印字を連続して施すものか（図５（ｂ）参照）、あるいは、番号を除いた画像は同じで、番号のみを変え連続して印字を施すものか（図５（ｃ）参照）という印字形態を設定する。
なお、印字媒体２１としては、図示省略の台紙にラベルが仮着された「長尺状のラベル連続体」または、「タグ連続体」あるいは、台紙がなく、裏面に塗布された粘着剤が表出している、いわゆる「台紙なしラベル連続体」などの採用が可能である。
（１−３）排出する距離の増加量設定
ベルト３２を介してフィードローラ２７を回転する排出用のステッピングモータ３１のステッピング数の増加量を設定するものであり、例えば、前記タイミングカウンタＴが「５」、すなわち、切断部２６にて印字媒体片２１ａが５枚切断されたら「＋１０」ステップ（任意の数）ほどステッピング数を増やすように設定する。ステッピング数を増やすことにより発行口３０より排出される印字媒体片２１ａは、増加したステッピング数の回転数に換算した分、排出する距離（排出搬送量）が増える。
（２）切断枚数の計数（カウント）および比較
切断部２６にて印字媒体２１を切断し、一葉の印字媒体片２１ａを得るごとに枚数を計数（カウント）し、予め設定されているタイミングカウンタＴと比較する。
（３）揺動案内板３の揺動制御
前記印字形態の設定により第一のステージ２ａ側に揺動（図１の想像線にて図示）して印字媒体片２１ａを案内するか、第二のステージ２ｂ側に揺動して案内するか、あるいは、第一および第二のステージ２ａ、２ｂの交互に揺動して案内するかを制御する。
【００１３】
次に、主に、図４に基づき、印字装置１０の動作状態を説明する。
ステップＳ０１にて、初期設定を行う。すなわち、タイミングカウンタＴ、印字形態、排出する距離の増加量などをＰＣ５０より入力してＲＡＭ４３に記憶し設定する。その他、図示省略の印字フォーマットや印字する枚数なども入力する。
ステップＳ０２にて、印字媒体２１に印字を行う。すなわち、供給軸２２より印字部２５へ印字媒体２１を繰り出しサーマルヘッド２３を介して可変情報を印字する。
ステップＳ０３にて、印字媒体２１を切断する。すなわち、印字部２５にて可変情報が印字された印字媒体２１を切断部２６に位置決めし、一葉の印字媒体片２１ａに切断する。
ステップＳ０４にて、切断枚数を計数（カウント）し、切断枚数カウンタＣを得る。
ステップＳ０５にて、所定枚数が切断されたか否かを判定する、すなわち、初期設定したタイミングカウンタＴと切断枚数カウンタＣとを比較し、切断枚数カウンタＣが未だタイミングカウンタＴに達していないと判定された場合はステップＳ０７へ行き、他方、タイミングカウンタＴに達したと判定された場合は、次ステップ（Ｓ０６）にて、排出する距離（排出搬送量）を増加する。すなわち、初期設定された排出用のステッピングモータ３１の回転数を増加して、回転数に換算した距離分、排出搬送量を増やす。
ステップＳ０７にて、印字形態が同一内容の印字か否かを判定する。すなわち、印字形態が２種類の異なった内容を連続して印字するもの（図５（ａ）参照）か、あるいは、同一内容の印字を施すもの（図５（ｂ）参照）か、などを初期設定された内容に基づき判定し、同一内容を印字する形態と判定された場合は、ステップＳ０９へ行き、他方、２種類の異なった内容を連続して印字するものと判定された場合は、次ステップ（Ｓ０８）へ行く。
ステップＳ０８では前回、第一のステージ２ａ側に揺動案内板３を揺動したか否かを判定し、前回第一のステージ２ａに揺動したと判定された場合は、ステップＳ１０へ行き、印字媒体片２１ａが排出されるのに同期をとって第二のステージ２ｂ側へ揺動案内板３を揺動し、他方、前回は第一のステージ２ａ側へ揺動していないと判定された場合は、次ステップ（Ｓ０９）へ行く。
ステップＳ０９にて、第一のステージ２ａ側へ揺動案内板３を揺動（図１の想像線にて図示）する。なお、第一のステージ２ａ側に揺動案内板３を揺動する際は、印字媒体片２１ａが排出されるのに同期をとって一端、反対の第二のステージ２ｂ側へ小さく揺動し、排出される印字媒体片２１ａの先端部が当接し揺動案内板３に沿って第一のステージ２ａ側に案内され易くする。第二のステージ２ｂ側へ揺動案内板３を揺動する際は、先とは反対に一端、第一のステージ２ａ側に小さく揺動して印字媒体片２１ａを第二のステージ２ｂ側に案内し易くする。そして、印字媒体片２１ａが徐々に排出されるのに同期をとって第一のステージ２ａ（または、第二のステージ２ｂ）側に徐々に揺動案内板３を揺動するものであり、印字媒体片２１ａは、揺動案内板３により表面が撫でながら払われた状態で第一のステージ２ａ（または、第二のステージ２ｂ）に案内され、載置（スタック）される。印字媒体片２１ａが揺動案内板３により載置部２へ案内され積層される際、第一および第二のステージ１ａ、２ｂにストッパ部５が設けられているため、当接することにより整列される。
なお、本実施の形態では、第一のステージ２ａ側へ揺動して案内された印字媒体片２１ａは表面の印刷面側が上側に、また、第二のステージ２ｂ側に案内された印字媒体片２１ａは裏面側が上側になるよう、各々の第一および第二のステージ２ａ、２ｂ上に載置され順次積層される。
ステップＳ１１で所定枚数の印字が終了したか否か判定し、未だ終了していないと判定された場合は、ステップＳ０２に戻って、次の印字を行い、他方、所定枚数の印字が終了したと判定された場合は、処理を終了する。
【００１４】
上述したように、発行口３０の短辺方向Ｓの一端に第一のステージ２ａ、および他端に第二のステージ２ｂを形成し、印字形態が同一内容の印字の場合は、第一のステージ２ａ側に揺動案内板３を揺動し印字媒体片２１Ｘ（図５（ｂ）参照）を第一のステージ２ａ側に案内するとともに、印字媒体片２１Ｘの表面の印字面側が上側になるよう載置し、また、異なる２種類の内容を連続して印字する場合は、第一および第二のステージ２ａ、２ｂの交互に揺動案内板３を揺動して、印字媒体片２１Ｘが第一のステージ２ａに、また、第一のステージ２ａに案内された印字媒体片２１Ｘとは異なる印字媒体片２１Ｙが第２のステージ２ｂに、各々載置されて積層されるようにしたので、簡単な構造で第一および第二のステージ２ａ、２ｂに２種類の異なった印字媒体片２１ａを仕分けることができ、しかも、筐体４０の上面が第一および第二のステージ２ａ、２ｂにて構成された載置部２となるため「縦型」の印字装置１０が実現でき、印字装置本体２０の側面に「スタッカ」を接続した従来型に比べ、小型化が可能なものである。
また、切断部２６により切断された印字媒体片２１ａは、切断されるごとに計数（カウント）されてタイミングカウンタＴに記憶されるとともに、タイミングカウンタＴの数量、すなわち、切断し排出した印字媒体片２１の数量に応じて排出用のステッピングモータ３１の回転数（ステッピング数）を増加し、回転数に換算した距離分、排出搬送量を増やすようにしたので、排出されて載置部２に案内され、積層された印字媒体片２１ａの積層の高さに見合う排出搬送量（排出する距離）に変更され、以て安定した積層状態が確保できるものである。
なお、説明の都合上、上記実施の形態では、同一内容の印字の場合、第一のステージ２ａ側に印字媒体片２１ａを揺動して案内する例で説明したが、これに限定されないことは勿論である。例えば、連続した受験番号が印字された受験票（図５（ｃ）参照）の受験番号を順序良く積層するには、揺動案内板３を第二のステージ２ｂ側に揺動して受験票を案内すればよく、受験番号が印字された表面側が下側になった状態で番号順に積層され、番号が入れ替わることがない。
【００１５】
次に、図６を参照して、本発明の他の実施の形態につき説明する。
なお、以下において、先の実施の形態と同一の部分は同一符合を付すに止め、詳説を省略する。
同図は、印字装置本体２０の筐体４０の上面近辺を側面より見た拡大側面説明図である。
印字装置本体２０の筐体４０の上面には、載置部１２と、揺動案内板１３と、支持部材１４とより成るスタッカ機構１１が形成されている。
載置部１２は、発行口３０の短辺方向Ｓの一端（図６における発行口３０の左側）に形成された第一のステージ１２ａと、発行口３０の他端に形成された第二のステージ１２ｂとより構成されており、フィードローラ２７にて発行口３０より排出された印字媒体片２１ａを載置する「スタッカ」となっている。なお、第一および第二のステージ１２ａ、１２ｂ共、発行口３０より筐体４０の外側に向けて緩い下り勾配が形成されており、かつ、摺動可能とされている。
揺動案内板１３は、筐体４０の上面に立設して設けた支持部材１４に揺動自在に取付けられている。揺動案内板１３は、開口する発行口３０に近い支持部材１４の下端部に回動軸１３ａにて揺動自在に取付けられており、かつ、回動軸１３ａは揺動案内板１３の長手方向の５分の１（１／５）くらいの位置に設けられており、端部から回動軸１３ａまでの長さが５分の１くらいの短い方の長さの揺動案内板１３の一端部が支持部材１４に回動支持された状態で発行口３０側に臨んでおり、また、回動軸１３ａから端部までの長さが５分の４（４／５）くらいの長い方の揺動案内板１３の他端部が上方に延伸して設けられている。
そして、発行口３０より印字媒体片２１ａが発行され排出されてきたのに同期をとって、第一のステージ１２ａに案内する場合は、回動軸１３ａを回動中心として上方に延伸した揺動案内板１３の長い方（５分の４）の端部を第一のステージ１２ａ側に小さく揺動し、第一のステージ１２ａ側に印字媒体片２１ａを案内し易くする。すなわち、端部が長い方の揺動案内板１３を第一のステージ１２ａ側に揺動すると揺動案内板１３の短い方の端部が第二のステージ１２ｂ側に揺動され（図６の揺動案内板１３の実線部分参照）、発行口３０より排出された印字媒体片２１ａの先端部分が揺動案内板１３に当接するようになっており、かつ、ステージ１２ａ側に小さく揺動された揺動案内板１３により第一のステージ１２ａ側に向けて傾斜された「案内面」が形成される。さらに、揺動案内板１３は、印字媒体片２１ａの排出に伴い長い方の端部を第一のステージ１２ａ側に徐々に倒伏するようになっている。
先の実施の形態では、発行口３０より発行・排出された印字媒体片２１ａが、揺動案内板３により撫でられて払われた状態で第一のステージ２ａ（または、第二のステージ２ｂ）に案内され、載置（スタック）されたが、本実施の形態にあっては、排出された印字媒体片２１ａが、第一のステージ１２ａ（または、第二のステージ１２ｂ）側に向けて傾斜された「案内面」を形成する揺動案内板１３に沿って排出され、しかも、揺動案内板１３が印字媒体片２１ａの排出に伴い徐々に傾きを増し、徐々に排出されてくる印字媒体片２１ａを第一のステージ１２ａ（または、第二のステージ１２ｂ）側に、案内しつつ倒伏するので、載置部１２に印字媒体片２１ａが確実に載置（スタック）されるものである。
また、第一および第二のステージ１２ａ、１２ｂは、発行口３０より筐体４０の外側に向けて緩い下り勾配が形成され、かつ、摺動可能とされているため、長さサイズの長い印字媒体片２１ａを発行する場合は、第一および第二のステージ１２ａ、１２ｂを外側に摺動することによりサイズの長い印字媒体片２１ａにも対応でき、しかも、緩い下り勾配に沿って案内されるため、整列された載置が可能となる。
その他の構成、作用、効果については、先の実施の形態とほぼ同様につき、詳説を省略する。
【００１６】
なお、上記実施の形態の構成及び動作は例であって、本発明の趣旨を逸脱しない範囲で適宜変更することができることは言うまでもない。
【００１７】
例えば、支持部材４、１４を伸縮自在にし、タイミングカウンタＴの設定値に到達したら上方、すなわち、発行口３０から離れる方向に揺動案内板３、１３ごと移動可能にするようにしても良い。
【符号の説明】
【００１８】
Ｃ    切断枚数カウンタ
Ｓ    発行口３０の短辺方向
Ｔ    タイミングカウンタ
１    スタッカ機構
２    載置部
２ａ  第一のステージ
２ｂ  第二のステージ
３    揺動案内手段（揺動案内板）
３ａ  回動軸
４    支持部材
５    ストッパ部
１０  印字装置
１１  スタッカ機構（他の実施の形態）
１２  載置部
１２ａ  第一のステージ
１２ｂ  第二のステージ
１３  揺動案内手段（揺動案内板）
１４  支持部材
１５  補助ローラ
２０  印字装置本体
２１  印字媒体
２１ａ  印字媒体片
２２  供給軸
２３  サーマルヘッド
２４  プラテンローラ（プラテン）
２５  印字手段（印字部）
２６  切断手段（切断部）
２７  排出手段（フィードローラ）
２７ａ  主動ローラ
２７ｂ  従動ローラ
２８  位置検出手段（反射センサ）
２８ａ  発光部
２８ｂ  受光部
２９  制御手段（制御部）
３０  発行口
３１  排出用のステッピングモータ
３２  ベルト
３３  プレテン用のステッピングモータ
４０  筐体
４１  ＲＯＭ
４２  ＣＰＵ
４３  ＲＡＭ
４４  モータ制御部
４５  印字制御部
４６  センサ制御部
４７  切断制御部
４８  データバス
４９  外部インタフェース
５０  パーソナルコンピュータ（ＰＣ）
５１  外部インタフェース制御部
５２  揺動案内板用のモータ
【図１】
2011006251.tif 000003
【図２】
2011006251.tif 000004
【図３】
2011006251.tif 000005
【図４】
2011006251.tif 000006
【図５】
2011006251.tif 000007
【図６】
2011006251.tif 000008